(57)【特許請求の範囲】
【請求項１】
自局を移動機に検出させるための報知情報を送信する送信部と、
自局に待ち受けた移動機を認識し、該移動機が一定数以上となった場合に、前記報知情報の送信を停止するように前記送信部を制御する制御部と、
を備えることを特徴とする基地局。
【請求項２】
前記制御部は、前記報知情報の送信を停止している状態で、前記移動機が他の基地局へハンドオフしたことを検知した場合に、前記報知情報の送信を開始するように前記送信部を制御する、ことを特徴とする請求項１に記載の基地局。
【請求項３】
自局を移動機に検出させるための報知情報を送信する送信部と、
通信確立のための接続要求を自局に送信することで自局に接続した移動機が一定数以上となった場合に、前記報知情報の送信を停止するように前記送信部を制御する制御部と、
を備えることを特徴とする基地局。
【請求項４】
前記制御部は、前記報知情報の送信を停止している状態で、前記移動機が他の基地局へハンドオフしたことを検知した場合に、前記報知情報の送信を開始するように前記送信部を制御する、ことを特徴とする請求項３に記載の基地局。
【請求項５】
自局を移動機に検出させるための報知情報を送信する送信部と、
自局の通信品質が他の基地局の通信品質よりも悪い場合に、前記報知情報の送信を停止するように前記送信部を制御することを特徴とする基地局。
【請求項６】
前記制御部は、前記報知情報の送信を停止している状態で、自局の通信品質が前記他の基地局の通信品質より良いことを検知した場合に、前記報知情報の送信を開始するように前記送信部を制御する、ことを特徴とする請求項５に記載の基地局。
【請求項７】
基地局が、自局を移動機に検出させるための報知情報を送信し、
前記基地局が、自局に待ち受けた移動機を認識し、該移動機が一定数以上となった場合に、前記報知情報の送信を停止することを特徴とする基地局の制御方法。
【請求項８】
基地局が、自局を移動機に検出させるための報知情報を送信し、
前記基地局が、通信確立のための接続要求を自局に送信することで自局に接続した移動機が一定数以上となった場合に、前記報知情報の送信を停止することを特徴とする基地局の制御方法。
【請求項９】
基地局が、自局を移動機に検出させるための報知情報を送信し、
前記基地局が、自局の通信品質が他の基地局の通信品質よりも悪い場合に、前記報知情報の送信を停止することを特徴とする基地局の制御方法。
【発明の詳細な説明】
【技術分野】
【０００１】
本発明は、基地局およびその基地局の制御方法に関し、特に、一般回線を介して移動体通信網に接続する基地局およびその基地局の制御方法に関する。
【背景技術】
【０００２】
近年、移動体通信システムにおいて、フェムトセル（Home eNode B）と呼ばれる、従来の基地局（広域基地局、マクロセル）に比べてごく小さいエリアをカバーする基地局の方式が提案されている。フェムトセルは、例えば家の中や小さなオフィス等に設置される小型基地局であり、従来の携帯電話のセル、つまり１つの広域基地局がカバーするエリアが半径１キロメートル〜数キロメートル程度であるのに対し、フェムトセルがカバーするエリアは、数メートル〜数１０メートル程度である。このフェムトセルは、各家庭に引込まれている一般回線（ＡＤＳＬなどのブロードバンド回線）を介して移動体通信網に接続される。一般回線はアクセス回線として一般に普及しているため、マクロセルのエリア外だったユーザでも、ブロードバンド回線があればマクロセルと同様の携帯電話サービス（通話、メール機能、ＳＭＳ（Short Message Service）、ＷＥＢブラウジング等）を安価でかつ容易に使用できるようになる。さらに、通信事業者としては、フェムトセル及びブロードバンド回線の利用によって、本来消費されるはずであった既存の広域基地局のリソース（帯域など）を使わずに済み、低コストで携帯電話のエリア改善ができるメリットがある。
【０００３】
このように、２ＧＨｚ帯やそれ以上の周波数帯域で運用される第３世代（３Ｇ）や第３．９世代（３．９Ｇ）およびＩＭＴ−ＡＤＶＡＮＣＥＤにおいては、屋外の広域基地局と屋内のフェムトセルの組み合わせは必須になっていくものと予想される。さらに、フェムトセルは、少数の端末が利用するため、複数の端末により混雑するマクロセルと比べ、より高速、高品質なデータ通信環境を提供できる等の利点があり、今後大きな普及が見込まれる。
【０００４】
フェムトセルでは、通信用の電波に、マクロセルと異なる周波数を使用することが検討されているため、フェムトセルは、オフィスやショッピングセンター、コンサートホールなど、人が密集する場所に設置され、マクロセルとの併用により通信の負荷を分散させることを目的として利用されることもある。この場合のフェムトセルは、フェムトセルに登録された端末が利用可能なクローズドアクセスのものではなく、利用に登録を必要としない、全端末が利用可能なオープンアクセスのものである。しかしながら、このように人が密集する場所にオープンアクセスのフェムトセルが設置された場合、多くの端末がフェムトセルを利用することになり、フェムトセルを利用しても結果的にマクロセルを利用した場合よりも良好な通信性能が得られない場合もある。
【０００５】
この問題への対策として、従来技術に、特定の無線基地局にアクセスが集中し、無線チャネルが輻輳していることを検出すると、輻輳状態にある無線通信エリアを構成する無線通信システムとは異なる無線通信システムにハンドオフ可能な端末を判定し、判定した端末を前記の無線通信システムに強制的にハンドオフさせる技術が提案されている（特許文献１参照）。
【先行技術文献】
【特許文献】
【０００６】
【特許文献１】特開２００８−２７０９１９号公報
【発明の概要】
【発明が解決しようとする課題】
【０００７】
上述のように、オープンアクセスのフェムトセルにおいては、多くの端末が利用することによりフェムトセルが混雑し、フェムトセルを利用してもマクロセルを利用したときより通信性能が悪くなる場合には、端末をフェムトセルにハンドオフさせるべきではない。
【０００８】
また、特許文献１に記載の方法では、輻輳が起こっているシステムへ別の端末がハンドオフしてくることは、防ぐことができない。無駄なハンドオフは可能な限り抑えることが望ましい。
【０００９】
本発明は、このような問題点に鑑みてなされたものであり、本発明の目的は、自局が混雑している状況で、端末が自局へ無駄にハンドオフしてくるのを防ぐことができる基地局および基地局の制御方法を提供することにある。
【課題を解決するための手段】
【００１０】
上記目的を達成するため、本発明は、基地局であって、自局を移動機に検出させるための報知情報を送信する送信部と、自局に待ち受けた移動機を認識し、該移動機が一定数以上となった場合に、前記報知情報の送信を停止するように前記送信部を制御する制御部と、を備えることを特徴とする。
【００１１】
前記制御部は、前記報知情報の送信を停止している状態で、前記移動機が他の基地局へハンドオフしたことを検知した場合に、前記報知情報の送信を開始するように前記送信部を制御することが好ましい。
【００１２】
また、本発明は、基地局であって、自局を移動機に検出させるための報知情報を送信する送信部と、通信確立のための接続要求を自局に送信することで自局に接続した移動機が一定数以上となった場合に、前記報知情報の送信を停止するように前記送信部を制御する制御部と、を備えることを特徴とする。
【００１３】
前記制御部は、前記報知情報の送信を停止している状態で、前記移動機が他の基地局へハンドオフしたことを検知した場合に、前記報知情報の送信を開始するように前記送信部を制御することが好ましい。
【００１４】
また、本発明は、基地局であって、自局を移動機に検出させるための報知情報を送信する送信部と、自局の通信品質が他の基地局の通信環境よりも悪い場合に、前記パイロットビーコンの送信を停止するように前記送信部を制御することを特徴とする。
【００１５】
前記制御部は、前記報知情報の送信を停止している状態で、自局の通信品質が前記他の基地局の通信品質より良いことを検知した場合に、前記報知情報の送信を開始するように前記送信部を制御することが好ましい。
【００１６】
また、本発明は、基地局が、自局を移動機に検出させるための報知情報を送信し、前記基地局が、自局に待ち受けた移動機を認識し、該移動機が一定数以上となった場合に、前記報知情報の送信を停止することを特徴とする。
【００１７】
また、本発明は、基地局が、自局を移動機に検出させるための報知情報を送信し、前記基地局が、通信確立のための接続要求を自局に送信することで自局に接続した移動機が一定数以上となった場合に、前記報知情報の送信を停止することを特徴とする。
【００１８】
また、本発明は、基地局が、自局を移動機に検出させるための報知情報を送信し、前記基地局が、自局の通信品質が他の基地局の通信品質よりも悪い場合に、前記報知情報の送信を停止するステップと、を含むことを特徴とする。
【発明の効果】
【００１９】
本発明によれば、端末をフェムトセルへ無駄にハンドオフさせるのを防ぐことができる。
【図面の簡単な説明】
【００２０】
【図１】フェムトセルとマクロセルとを含む移動体通信システムの概略構成図である。
【図２】パイロットビーコンの送信時に、端末がマクロセルエリアからフェムトセルエリアへ移動しようとしている時の概念図である。
【図３】パイロットビーコンの送信時に、端末がマクロセルエリアからフェムトセルエリアへ移動した時の概念図である。
【図４】パイロットビーコンの停止時に、端末がマクロセルエリアからフェムトセルエリアへ移動しようとしている時の概念図である。
【図５】パイロットビーコンの停止時に、端末がマクロセルエリアからフェムトセルエリアへ移動した時の概念図である。
【図６】本発明のフェムトセルの第１の実施形態に示す概略ブロック図である。
【図７】第１の実施形態に係るフェムトセルのパイロットビーコン送信中の動作を説明するフローチャートである。
【図８】第１の実施形態に係るフェムトセルのパイロットビーコン停止中の動作を説明するフローチャートである。
【図９】パイロットビーコンの停止時に、端末がフェムトセルエリアからマクロセルエリアへ移動しようとしている時の概念図である。
【図１０】端末がフェムトセルエリアからマクロセルエリアへ移動し、フェムトセルがパイロットビーコンの送信を再開した時の概念図である。
【図１１】本発明のフェムトセルの第２の実施形態に示す概略ブロック図である。
【図１２】第２の実施形態に係るフェムトセルのパイロットビーコン送信中の動作を説明するフローチャートである。
【図１３】第２の実施形態に係るフェムトセルのパイロットビーコン停止中の動作を説明するフローチャートである。
【図１４】本発明のフェムトセルの第３の実施形態に示す概略ブロック図である。
【図１５】第３の実施形態に係るフェムトセルのパイロットビーコン送信中の動作を説明するフローチャートである。
【図１６】第３の実施形態に係るフェムトセルのパイロットビーコン停止中の動作を説明するフローチャートである。
【発明を実施するための形態】
【００２１】
本発明の実施の形態について図面を参照して説明する。なお、これ以降では、移動体通信システムとしてＣＤＭＡ２０００ １ｘＥＶ−ＤＯを想定して説明する。
【００２２】
図１は、フェムトセルとマクロセルとを含む移動体通信システムの概略構成図である。図に示すように、移動体通信システム１００は、マクロセル（広域基地局）ＡＮ、ＥＶ−ＤＯコアネットワークＣＮ、フェムトセルネットワークゲートウェイＦＮＧ、広域ネットワークＮＥＴ、フェムトセルＦＡＰ、複数の端末（移動機）ＡＴ１〜ＡＴ３を含む。ＥＶ−ＤＯコアネットワークＣＮは、図示しないＰＤＳＮ（Packet Data Serving Node：パケットデータサービスノード）、ＰＣＦ（Packet Control Function：パケット制御器）等を含む移動体通信ネットワークの基幹部分である。フェムトセルネットワークゲートウェイＦＮＧは、広域ネットワークＮＥＴとＥＶ−ＤＯコアネットワークＣＮとの間の接続を中継する。
【００２３】
移動体通信システム１００において、マクロセルＡＮは、周波数Ｆ１のマクロセル電波を送信している。フェムトセルＦＡＰは、マクロセルＡＮと通信している端末をフェムトセルに引き込む（ハンドオフさせる）ため、マクロセル電波と同じ周波数Ｆ１のパイロットビーコンを送信することができる。フェムトセルＦＡＰ自体は、自局と端末との間の通信に、周波数Ｆ２のフェムトセル電波（通信用電波）を用いる。
【００２４】
図２は、フェムトセルＦＡＰがパイロットビーコンを送信している状態で、端末ＡＴ１がマクロセルエリアからフェムトセルエリアへ移動しようとしている時の概念図である。フェムトセルエリアへ移動しようとしている端末ＡＴ１は、パイロットビーコンによりフェムトセルＦＡＰの存在を検知する。
【００２５】
図３は、フェムトセルＦＡＰがパイロットビーコンを送信している状態で、端末ＡＴ１がマクロセルエリアからフェムトセルエリアへ移動した時の概念図である。フェムトセルエリアへ移動した端末ＡＴ１は、パイロットビーコンによりフェムトセルＦＡＰの通信周波数Ｆ２に引き込まれ、フェムトセルＦＡＰで待ち受ける。
【００２６】
図４は、フェムトセルＦＡＰがパイロットビーコンを停止している状態で、端末ＡＴ１がマクロセルエリアからフェムトセルエリアへ移動しようとしている時の概念図である。フェムトセルエリアへ移動しようとしている端末ＡＴ１は、パイロットビーコンが送信されていないので、フェムトセルＦＡＰの存在を検知できない。
【００２７】
図５は、フェムトセルＦＡＰがパイロットビーコンを停止している状態で、端末ＡＴ１がマクロセルエリアからフェムトセルエリアへ移動した時の概念図である。フェムトセルエリアへ移動した端末ＡＴ１は、フェムトセルＦＡＰの通信周波数Ｆ２には引き込まれず、引き続きマクロセルＡＮで待ち受ける。
【００２８】
次に、本発明のフェムトセル（基地局）の実施形態について説明する。本発明のフェムトセルは、自局に登録された端末が利用可能なクローズドアクセスのものではなく、アクセスに自局への登録を必要としない、全端末が利用可能なオープンアクセスのものである。図６は、本発明のフェムトセルの第１の実施形態に示す概略ブロック図である。図６に示すように、フェムトセルＦＡＰは、アンテナＡＮＴと、制御部１１０（制御部）と、無線通信部１２０と、記憶部１４０と、有線通信部１５０を備える。
【００２９】
無線通信部１２０は、パイロットビーコン送信部１２２（送信部）と、端末送受信部１２６を備える。パイロットビーコン送信部１２２は、端末（移動機）をフェムトセルＦＡＰに引き込むためのパイロットビーコンを送信する。端末送受信部１２６は、アンテナＡＮＴを介して、端末とセルラー通信を行うためのフェムトセル電波（通信用電波）の送受信を行う。
【００３０】
制御部１１０は、パイロットビーコン送信制御部１１１と、端末待ち受け数判定部１１２と、ハンドオフＥＳＮ判定部１１３を備え、また、フェムトセルＦＡＰ全体の制御を行う。パイロットビーコン送信制御部１１１は、パイロットビーコン送信部１２２を制御してパイロットビーコンの送信開始・停止の制御を行う。端末待ち受け数判定部１１２は、現在フェムトセルで待ち受けている端末数が上限待ち受け端末数を越えているかどうかを判定する。ハンドオフ端末ＥＳＮ判定部１１３は、フェムトセル管理サーバから通知されたＥＳＮと待ち受け端末のＥＳＮを比較する。ＥＳＮとは、端末が持つ固有番号（端末識別子）であり、端末が携帯電話である場合は、例えば電話番号等から算出することができる。
【００３１】
記憶部１４０は、上限待ち受け端末数記憶部１４１と、待ち受け端末数記憶部１４２と、待ち受け端末ＥＳＮ記憶部１４３を備える。上限待ち受け端末数記憶部１４１は、フェムトセルで待ち受け可能な上限端末数を記憶する。待ち受け端末数記憶部１４２は、現在フェムトセルで待ち受けている端末数を記憶する。待ち受け端末ＥＳＮ記憶部１４３は、現在フェムトセルで待ち受けている端末のＥＳＮを記憶する。
【００３２】
有線通信部１５０は、ルータや一般回線（ＡＤＳＬ等のブロードバンド回線）を介して、インターネット等の広域ネットワークＮＥＴに接続される。
【００３３】
図７は、第１の実施形態に係るフェムトセルのパイロットビーコン送信中の動作を説明するフローチャートである。フェムトセルＦＡＰは、パイロットビーコンを送信している間はループ１（ステップＳ１１〜Ｓ１７）を繰り返す。
【００３４】
フェムトセルＦＡＰは、自局の送信するパイロットビーコンを受信した端末から待ち受け要求を受信した場合（Ｓ１２でＹＥＳの場合）、当該端末を自局の通信周波数に引き込み、自局の通信周波数で待ち受けさせる（Ｓ１３）。その後、引き込んだ端末の識別子（例えばＥＳＮ）を自局の保持する待ち受け端末リストに記憶し（Ｓ１４）、自局の保持する待ち受け端末数に１を加える（Ｓ１５）。その際、引き込んだ端末の識別子は、フェムトセルの管理を行うフェムトセル管理サーバへも通知するようにする。端末待ち受け数判定部１１２にて、現在フェムトセルで待ち受けている端末数が事前に設定された上限待ち受け端末数を越えているかどうかを判定し（Ｓ１６）、待ち受け端末数が上限待ち受け端末数より大きい場合（Ｓ１６でＹＥＳの場合）、フェムトセルＦＡＰは、パイロットビーコンの送信を停止し、他の端末をこれ以上自局にハンドオフさせないようにする（Ｓ１８）。
【００３５】
なお、ステップＳ１２にてパイロットビーコンを受信した端末から待ち受け要求を受信しない場合（ＮＯの場合）、および、Ｓ１６にて待ち受け端末数が上限待ち受け端末数以下である場合（ＮＯの場合）には、ステップＳ１４へ進み、ループ１の処理が継続され、パイロットビーコンの送信を継続する。
【００３６】
図８は、第１の実施形態に係るフェムトセルのパイロットビーコン停止中の動作を説明するフローチャートである。フェムトセルＦＡＰは、パイロットビーコンの送信を停止している間はループ２（ステップＳ２１〜Ｓ２３）を繰り返す。
【００３７】
フェムトセルＦＡＰは、ハンドオフ端末ＥＳＮ判定部１１３にて、フェムトセル管理サーバから通知されたＥＳＮと待ち受け端末のＥＳＮを比較し（Ｓ２２）、パイロットビーコン停止中に自局で待ち受けていた端末がマクロセルＡＮへハンドオフしたことを検知した場合（Ｓ２２でＹＥＳの場合）、ハンドオフした端末のＥＳＮを自局の保持する待ち受け端末リストから削除し（Ｓ２４）、自局の保持する待ち受け端末数から１を引く（Ｓ２５）。その後、フェムトセルＦＡＰは、パイロットビーコンの送信を開始し、他の端末が自局にハンドオフできるようにする（Ｓ２６）。
【００３８】
図９は、フェムトセルＦＡＰがパイロットビーコンを停止している状態で、端末ＡＴ２がフェムトセルエリアからマクロセルエリアへ移動しようとしている時の概念図である。マクロセルエリアへ移動しようとしている端末ＡＴ２は、フェムトセルＦＡＰの電波が弱くなると、マクロセルＡＮへのハンドオフ動作を開始する。
【００３９】
図１０は、端末ＡＴ２がフェムトセルエリアからマクロセルエリアへ移動し、フェムトセルＦＡＰがパイロットビーコンの送信を再開した時の概念図である。マクロセルエリアへ移動した端末ＡＴ２は、マクロセルＡＮで待ち受け、フェムトセルエリアに存在したがマクロセルＡＮで待ち受けていた端末ＡＴ１は、パイロットビーコンによりフェムトセルＦＡＰの通信周波数Ｆ２に引き込まれ、フェムトセルＦＡＰで待ち受ける。
【００４０】
なお、フェムトセルＦＡＰで待ち受けていた端末がマクロセルＡＮへハンドオフしたことは、フェムトセル管理サーバから通知されるＥＳＮにより検知してもよいし、フェムトセル自局がＫｅｅｐ Ａｌｉｖｅにより一定時間おきに待ち受け端末の確認を行うことで検知してもよい。前者の場合は、フェムトセル管理サーバが周辺のマクロセルＡＮから待ち受け端末の識別子情報を取得し、事前にフェムトセルＦＡＰより通知された識別子と一致するものがあれば、当該識別子をフェムトセルＦＡＰに通知することで行う。
【００４１】
第１の実施形態では、パイロットビーコン停止中に任意の端末がマクロセルＡＮへハンドオフしたことを検知した場合、すなわち、待ち受け端末数が上限待ち受け端末数に戻った場合にパイロットビーコンの送信を再開するものとしているが、フェムトセルＦＡＰでの待ち受け端末数は、ある程度短い時間で変動することが考えられるので、パイロットビーコンの送信停止と送信再開を頻繁に繰り返すことを防ぐために、送信停止と送信再開の判定用待ち受け端末数は別の値としてもよい。すなわち、フェムトセルＦＡＰは、待ち受け端末数が停止判定待ち受け端末数Ｘ以上となった場合にパイロットビーコンを停止し、端末のマクロセルＡＮへのハンドオフを何度か検知し、待ち受け端末数が再開判定待ち受け端末数Ｙ（Ｘ＞Ｙ）以下となった場合にパイロットビーコンの送信を再開するようにしてもよい。
【００４２】
次に、本発明のフェムトセル（基地局）の第２の実施形態について説明する。図１１は、本発明のフェムトセルの第２の実施形態に示す概略ブロック図である。図１１に示すように、フェムトセルＦＡＰは、アンテナＡＮＴ、制御部２１０（制御部）と、無線通信部２２０と、記憶部２４０と、有線通信部２５０を備える。
【００４３】
無線通信部２２０は、パイロットビーコン送信部２２２（送信部）と、端末送受信部２２６を備える。パイロットビーコン送信部２２２は、端末（移動機）をフェムトセルＦＡＰに引き込むためのパイロットビーコンを送信する。端末送受信部２２６は、アンテナＡＮＴを介して、端末とセルラー通信を行うためのフェムトセル電波（通信用電波）の送受信を行う。
【００４４】
制御部２１０は、パイロットビーコン送信制御部２１１と、接続端末数判定部２１２を備え、また、フェムトセルＦＡＰ全体の制御を行う。パイロットビーコン送信制御部２１１は、パイロットビーコン送信部２２２を制御してパイロットビーコンの送信開始・停止の制御を行う。接続端末数判定部２１２は、現在フェムトセルを利用して通信を行っている端末数が上限接続端末数を越えているかどうかを判定する。
【００４５】
記憶部２４０は、上限接続端末数記憶部２４１と、接続端末数記憶部２４２を備える。上限接続端末数記憶部２４１は、フェムトセルを利用して通信可能な上限端末数を記憶する。接続端末数記憶部２４２は、現在フェムトセルを利用して通信を行っている端末数を記憶する。
【００４６】
有線通信部２５０は、ルータや一般回線（ＡＤＳＬ等のブロードバンド回線）を介して、インターネット等の広域ネットワークＮＥＴに接続される。
【００４７】
図１２は、第２の実施形態に係るフェムトセルのパイロットビーコン送信中の動作を説明するフローチャートである。フェムトセルＦＡＰは、パイロットビーコンを送信している間はループ３（ステップＳ３１〜Ｓ３６）を繰り返す。
【００４８】
フェムトセルＦＡＰは、パイロットビーコン送信中に自局の通信周波数で待ち受けている端末から接続要求を受信した場合（Ｓ３２でＹＥＳの場合）、当該端末との通信を確立し（Ｓ３３）、自局の保持する接続端末数に１を加える（Ｓ３４）。接続端末数判定部２１２にて、現在フェムトセルを利用して通信を行っている端末数（接続端末数、トラフィックチャネルが割り当てられている端末数）が事前に設定された上限接続端末数を越えているかどうかを判定し（Ｓ３５）、接続端末数が上限接続端末数より大きい場合（Ｓ３５でＹＥＳの場合）、フェムトセルＦＡＰは、パイロットビーコンの送信を停止し、他の端末をこれ以上自局にハンドオフさせないようにする（Ｓ３７）。
【００４９】
なお、ステップＳ３２にて待ち受けている端末から接続要求を受信しない場合（ＮＯの場合）、および、Ｓ３５にて接続端末数が上限接続端末数以下である場合（ＮＯの場合）には、ステップＳ３６へ進み、ループ３の処理が継続され、パイロットビーコンの送信を継続する。
【００５０】
図１３は、第２の実施形態に係るフェムトセルのパイロットビーコン停止中の動作を説明するフローチャートである。フェムトセルＦＡＰは、パイロットビーコンの送信を停止している間はループ４（ステップＳ４１〜Ｓ４８）を繰り返す。
【００５１】
フェムトセルＦＡＰは、パイロットビーコン停止中に自局と通信を行っていた端末との接続を解放した場合（Ｓ４２でＹＥＳの場合）、自局の保持する接続端末数から１を引く（Ｓ４３）。接続端末数判定部２１２にて、現在フェムトセルを利用して通信を行っている端末数（接続端末数）が事前に設定された上限接続端末数を越えているかどうかを判定し（Ｓ４４）、接続端末数が上限接続端末数以下の場合（Ｓ４４でＹＥＳの場合）、フェムトセルＦＡＰは、パイロットビーコンの送信を開始し、他の端末が自局にハンドオフできるようにする（Ｓ４９）。また、Ｓ４２にて端末との接続を解放しない場合（ＮＯの場合）、および、Ｓ４４にて接続端末数が事前に設定された上限接続端末数より多い場合（ＮＯの場合）において、パイロットビーコン停止中に自局の通信周波数で待ち受けている端末から接続要求を受信した場合（Ｓ４５でＹＥＳの場合）は、当該端末との通信を確立し（Ｓ４６）、自局の保持する接続端末数に１を加える（Ｓ４７）。
【００５２】
すなわち、フェムトセルＦＡＰは、パイロットビーコン停止中も接続端末数のカウントを行い、フェムトセルＦＡＰと通信を行っていた端末との接続、解放を繰り返し、接続端末数がパイロットビーコンを停止する起因となった上限接続端末数以下になるまでは、パイロットビーコンの送信は再開しない。
【００５３】
第２の実施形態では、パイロットビーコンの停止を判定するための上限接続端末数とパイロットビーコンの送信再開を判定するための接続端末数は同一のものとしているが、接続の確立と解放は頻繁に行われ、接続端末数もある程度短い時間で変動することが考えられるので、パイロットビーコンの送信停止と送信再開を頻繁に繰り返すことを防ぐために、送信停止と送信再開の判定用接続端末数は別の値としてもよい。すなわち、フェムトセルＦＡＰは、接続端末数が停止判定接続端末数Ｘ以上となった場合にパイロットビーコンを停止し、接続端末数が再開判定接続端末数Ｙ（Ｘ＞Ｙ）以下となった場合にパイロットビーコンの送信を再開するようにしてもよい。
【００５４】
次に、本発明のフェムトセル（基地局）の第３の実施形態について説明する。図１４は、本発明のフェムトセルの第３の実施形態に示す概略ブロック図である。図１４に示すように、フェムトセルＦＡＰは、アンテナＡＮＴと、制御部３１０（制御部）と、無線通信部３２０と、通信環境測定部３３０と、測定タイマ３４０と、有線通信部３５０を備える。
【００５５】
無線通信部３２０は、パイロットビーコン送信部３２２（送信部）と、端末送受信部３２６を備える。パイロットビーコン送信部３２２は、端末（移動機）をフェムトセルＦＡＰに引き込むためのパイロットビーコンを送信する。端末送受信部３２６は、アンテナＡＮＴを介して、端末とセルラー通信を行うためのフェムトセル電波（通信用電波）の送受信を行う。
【００５６】
制御部３１０は、パイロットビーコン送信制御部３１１と、通信環境判定部３１２を備え、また、フェムトセルＦＡＰ全体の制御を行う。パイロットビーコン送信制御部３１１は、パイロットビーコン送信部３２２を制御してパイロットビーコンの送信開始・停止の制御を行う。通信環境判定部３１２は、マクロセルとフェムトセルの通信環境の測定結果を比較する。
【００５７】
通信環境測定部３３０は、マクロセルやフェムトセルの通信環境を測定する。測定タイマ３４０は、通信環境を測定する間隔をカウントするためのタイマである。
【００５８】
有線通信部３５０は、ルータや一般回線（ＡＤＳＬ等のブロードバンド回線）を介して、インターネット等の広域ネットワークＮＥＴに接続される。
【００５９】
図１５は、第３の実施形態に係るフェムトセルのパイロットビーコン送信中の動作を説明するフローチャートである。フェムトセルＦＡＰは、パイロットビーコンを送信している間はループ５（ステップＳ５１〜Ｓ５７）を繰り返す。なお、本フローチャートの処理が開始されると、測定タイマ３４０が起動されるものとする。
【００６０】
フェムトセルＦＡＰは、パイロットビーコン送信中に測定タイマ３４０が満了した場合（Ｓ５２でＹＥＳの場合）、通信環境測定部３３０にて、マクロセルの通信環境（例えばスループット）とフェムトセルの通信環境の測定を行い（Ｓ５３、Ｓ５４）、通信環境判定部３１２にて、マクロセルＡＮとフェムトセルＦＡＰの通信環境の測定結果を比較する（Ｓ５５）。その結果、マクロセルＡＮの通信環境がフェムトセルＦＡＰの通信環境よりも良好であった場合（Ｓ５５でＹＥＳの場合）、フェムトセルＦＡＰは、測定タイマ３４０をリセットし（Ｓ５６）、パイロットビーコンの送信を停止することで、他の端末をこれ以上自局にハンドオフさせないようにする（Ｓ５９）。なお、マクロセルＡＮの通信環境がフェムトセルＦＡＰの通信環境よりも悪い場合（Ｓ５５でＮＯの場合）には、フェムトセルＦＡＰは、測定タイマ３４０をリセットし（Ｓ５７）、パイロットビーコンの送信を継続する。
【００６１】
マクロセルＡＮやフェムトセルＦＡＰの通信環境の測定は、フェムトセルＦＡＰに接続されているテスト用端末（ユーザが利用する端末ではなく、フェムトセルＦＡＰに付属している測定用端末）が、実際に両基地局を利用して通信を行ってみることで測定するものとする。
【００６２】
第３の実施形態では、パイロットビーコン送信中は、測定タイマが満了した際に通信環境の測定を行うものとしているが、測定のタイミングはこの限りではなく、フェムトセルＦＡＰで待ち受けや接続を行っている端末が増加した場合や、一定数以上となった場合に測定を行ってもよい。
【００６３】
図１６は、第３の実施形態に係るフェムトセルのパイロットビーコン停止中の動作を説明するフローチャートである。フェムトセルＦＡＰは、パイロットビーコンの送信を停止している間はループ６（ステップＳ６１〜Ｓ６８）を繰り返す。なお、本フローチャートの処理が開始されると、測定タイマ３４０が起動されるものとする。
【００６４】
フェムトセルＦＡＰは、パイロットビーコン停止中に測定タイマ３４０が満了した場合（Ｓ６２でＹＥＳの場合）、通信環境測定部３３０にて、マクロセルＡＮの通信環境（例えばスループット）とフェムトセルＦＡＰの通信環境の測定を行う（Ｓ６３、Ｓ６４）。その結果、フェムトセルＦＡＰの通信環境がマクロセルＡＮの通信環境よりも良好であった場合（Ｓ６５でＹＥＳの場合）、フェムトセルＦＡＰは、測定タイマ３４０をリセットし（Ｓ６６）、パイロットビーコンの送信を再開することで、他の端末が自局にハンドオフできるようにする（Ｓ６９）。なお、マクロセルＡＮの通信環境がフェムトセルＦＡＰの通信環境よりも悪い場合（Ｓ６５でＮＯの場合）には、フェムトセルＦＡＰは、測定タイマ３４０のリセットのみを行う（Ｓ５７）。
【００６５】
第３の実施形態では、フェムトセルＦＡＰは、パイロットビーコン停止中は測定タイマが満了した際に通信環境の測定を行うものとしているが、測定のタイミングはこの限りではなく、フェムトセルＦＡＰで待ち受けや接続を行っている端末が減少した場合や、一定数以下となった場合に測定を行ってもよい。
【００６６】
このように、本発明によれば、フェムトセル（基地局）で待ち受けている端末が一定数以上になった場合、またはフェムトセルを利用して通信を行っている端末が一定数以上になった場合、またはフェムトセルを利用して通信を行ったときの通信性能がマクロセルを利用して通信を行ったときの通信性能よりも悪くなった場合にパイロットビーコンの送信を停止するので、フェムトセルが混雑している状況で、端末をフェムトセルへ無駄にハンドオフさせるのを防ぐことができる。また、本発明によれば、パイロットビーコンの送信を適切に制御するので、フェムトセルの通信環境を良好に保った状態で、マクロセルとフェムトセルに通信の負荷を分散させることができる。さらに、マクロセルと同じ周波数で送信されるパイロットビーコンの送信を控えることにより、マクロセルとの干渉を防ぐことができる。また、パイロットビーコンの送信を控えることにより、無駄な電力消費を減らすことができる。
【００６７】
なお、上述の実施形態では、移動体通信システムとしてＣＤＭＡ２０００ １ｘＥＶＤＯを想定して説明したが、本発明はこれに限られるものではなく、例えば、Ｗ−ＣＤＭＡ（Wideband Code Division Multiple Access）、ＬＴＥ（Long Term Evolution）、ＵＭＢ（Ultra Mobile Broadband）等のシステムにも適用することができるものである。
【符号の説明】
【００６８】
１００  移動体通信システム
１１０、２１０、３１０  制御部
１１１、２１１、３１１  パイロットビーコン送信制御部
１１２  端末待ち受け数判定部
１１３  ハンドオフＥＳＮ判定部
１２０、２２０、３２０  無線通信部
１２２、２２２、３２２  パイロットビーコン送信部
１２６、２２６、３２６  端末送受信部
１４０、２４０  記憶部
１４１  上限待ち受け端末数記憶部
１４２  待ち受け端末数記憶部
１４３  待ち受け端末ＥＳＮ記憶部
１５０、２５０、３５０  有線通信部
２１２  接続端末数判定部
２４１  上限接続端末数記憶部
２４２  接続端末数記憶部
３１２  通信環境判定部
３３０  通信環境測定部
３４０  測定タイマ
ＡＮＴ  アンテナ
ＡＴ１〜ＡＴ３  端末（移動機）
ＡＮ  マクロセル
ＣＮ  ＥＶ−ＤＯコアネットワーク
ＦＮＧ  フェムトセルネットワークゲートウェイ
ＮＥＴ  広域ネットワーク
ＦＡＰ  フェムトセル
Ｆ１  マクロセル電波、パイロットビーコン
Ｆ２  フェムトセル電波（通信用電波）
【図１】
0005798460.tif 000002
【図２】
0005798460.tif 000003
【図３】
0005798460.tif 000004
【図４】
0005798460.tif 000005
【図５】
0005798460.tif 000006
【図６】
0005798460.tif 000007
【図７】
0005798460.tif 000008
【図８】
0005798460.tif 000009
【図９】
0005798460.tif 000010
【図１０】
0005798460.tif 000011
【図１１】
0005798460.tif 000012
【図１２】
0005798460.tif 000013
【図１３】
0005798460.tif 000014
【図１４】
0005798460.tif 000015
【図１５】
0005798460.tif 000016
【図１６】
0005798460.tif 000017